(57)【要約】【課題】望ましい画像処理が施された画像をユーザが容易に注文することができる画像管理装置を提供すること。【解決手段】本発明に係る画像管理装置は、原画像を取得する原画像取得部と、原画像取得部が取得した原画像の画像内容又は原画像の付帯情報を解析する原画像解析部と、原画像の画像内容又は原画像の付帯情報の解析方法及び解析結果に対応づけて、原画像に施すべき画像処理を予め格納する画像処理内容格納部と、原画像解析部による解析結果に対応づけて処理内容格納部が格納する少なくとも１つの画像処理を選択する画像処理内容決定部と、画像処理内容決定部が決定した画像処理を示す画像処理情報を生成する画像処理情報生成部と、原画像取得部が取得した原画像に関連づけて、画像処理情報生成部が生成した画像処理情報を出力する画像出力部とを備える。【選択図】図２
2007228309.tif 000002
【特許請求の範囲】
【請求項１】
原画像を取得する原画像取得部と、
前記原画像取得部が取得した原画像の画像内容又は原画像の付帯情報を解析する原画像解析部と、
前記原画像解析部による解析結果に基づいて、前記原画像取得部が取得した原画像に対して施すべき少なくとも１つの画像処理を決定する画像処理内容決定部と、
前記画像処理内容決定部が決定した画像処理を示す画像処理情報を生成する画像処理情報生成部と、
前記原画像取得部が取得した原画像に関連づけて、前記画像処理情報生成部が生成した画像処理情報を出力する画像出力部と
を備える画像管理装置。
【請求項２】
原画像の画像内容又は原画像の付帯情報の解析方法及び解析結果に対応づけて、原画像に施すべき画像処理を予め格納する画像処理内容格納部
をさらに備え、
画像処理内容決定部は、前記原画像解析部による解析結果に対応づけて前記処理内容格納部が格納する少なくとも１つの画像処理を選択する
請求項１に記載の画像管理装置。
【請求項３】
前記原画像解析部は、前記原画像取得部が取得した原画像の少なくとも１つの部分領域を解析し、
前記画像処理内容決定部は、前記原画像解析部による部分領域の解析結果に基づいて、部分領域の明るさを予め定められた値にすべく画像処理を決定する
請求項１に記載の画像管理装置。
【請求項４】
前記原画像解析部は、前記原画像取得部が取得した原画像の少なくとも１つの部分領域を解析し、
前記画像処理内容決定部は、前記原画像解析部による部分領域の解析結果に基づいて、当該部分領域のホワイトバランスを予め定められた値にすべく画像処理を決定する
請求項１に記載の画像管理装置。
【請求項５】
前記原画像取得部が取得した原画像の中から少なくとも１つのオブジェクトを抽出するオブジェクト抽出部
をさらに備え、
前記原画像解析部は、前記オブジェクト抽出部が抽出した少なくとも１つのオブジェクトを解析し、
前記画像処理内容決定部は、前記原画像解析部によるオブジェクトの解析結果に基づいて、オブジェクトの明るさを予め定められた値にすべく画像処理を決定する
請求項１に記載の画像管理装置。
【請求項６】
前記原画像取得部が取得した原画像の中から少なくとも１つのオブジェクトを抽出するオブジェクト抽出部
をさらに備え、
前記原画像解析部は、前記オブジェクト抽出部が抽出した少なくとも１つのオブジェクトを解析し、
前記画像処理内容決定部は、前記原画像解析部によるオブジェクトの解析結果に基づいて、オブジェクトのホワイトバランスを予め定められた値にすべく画像処理を決定する
請求項１に記載の画像管理装置。
【請求項７】
前記原画像解析部は、前記原画像取得部が取得した原画像中の不良領域の不良内容を特定し、
前記画像処理内容決定部は、前記原画像解析部が特定した不良領域の不良内容に基づいて、前記原画像取得部が取得した原画像に対して施すべき、不良領域を修復する少なくとも１つの画像処理を決定する
請求項１に記載の画像管理装置。
【請求項８】
前記原画像解析部は、前記原画像取得部が取得した原画像の色分布の偏りを解析し、
前記画像処理内容決定部は、前記原画像解析部によって解析された色分布の偏りの大きさに基づいて、ホワイトバランスを調整すべく画像処理を決定する
請求項１に記載の画像管理装置。
【請求項９】
前記画像処理内容決定部は、前記原画像解析部によって解析された色分布の偏りが予め定められた第１の偏りより小さい場合に、ホワイトバランスを調整すべく画像処理を決定し、
前記画像出力部は、前記原画像解析部によって解析された色分布の偏りが予め定められた第１の偏りより小さく、当該第１の偏りより小さい予め定められた第２の偏りより大きいことを条件として、前記原画像取得部が取得した原画像に関連づけて、前記画像処理情報生成部が生成した画像処理情報を出力する
請求項８に記載の画像管理装置。
【請求項１０】
前記画像処理情報生成部は、前記画像処理内容決定部が決定した画像処理が施された少なくとも１つの処理画像を生成し、
前記画像出力部は、前記原画像取得部が取得した原画像に関連づけて、前記画像処理情報生成部が生成した処理画像を出力する
請求項１に記載の画像管理装置。
【請求項１１】
前記画像出力部は、前記原画像取得部が取得した原画像を表示するとともに、当該原画像の付近に、前記画像処理情報生成部が生成した処理画像を表示する
請求項１０に記載の画像管理装置。
【請求項１２】
前記画像出力部は、前記原画像取得部が取得した原画像と、前記画像処理情報生成部が生成した処理画像とが関連づけられて出力されるべく対応づけて記録媒体に出力して記録する
請求項１０に記載の画像管理装置。
【請求項１３】
前記画像出力部は、前記原画像取得部が取得した原画像を印刷するとともに、当該原画像の付近に、前記画像処理情報生成部が生成した処理画像を印刷する
請求項１０に記載の画像管理装置。
【請求項１４】
前記画像処理情報生成部は、前記画像処理内容決定部が決定した画像処理の種類を示す画像処理情報を生成し、
前記画像出力部は、前記原画像取得部が取得した原画像に関連づけて、前記画像処理情報生成部が生成した画像処理の種類を出力する
請求項１に記載の画像管理装置。
【請求項１５】
前記画像出力部は、前記原画像取得部が取得した原画像を表示するとともに、当該原画像の付近に、前記画像処理情報生成部が生成した画像処理の種類を表示する
請求項１４に記載の画像管理装置。
【請求項１６】
前記画像出力部は、前記原画像取得部が取得した原画像と、前記画像処理情報生成部が生成した画像処理の種類とが関連づけられて出力されるべく対応づけて記録媒体に出力して記録する
請求項１４に記載の画像管理装置。
【請求項１７】
前記画像出力部は、前記原画像取得部が取得した原画像を印刷するとともに、当該原画像の付近に、前記画像処理情報生成部が生成した画像処理の種類を印刷する
請求項１４に記載の画像管理装置。
【請求項１８】
前記原画像取得部が取得した原画像のサムネイル画像を生成するサムネイル画像生成部
をさらに備え、
前記画像出力部は、前記サムネイル画像生成部が生成したサムネイル画像に関連づけて、前記画像処理情報生成部が生成した画像処理情報を出力する
請求項１に記載の画像管理装置。
【請求項１９】
前記原画像取得部が取得した原画像のサムネイル画像を生成するサムネイル画像生成部
をさらに備え、
前記画像処理情報生成部は、前記画像処理内容決定部が決定した画像処理が、前記サムネイル画像生成部が生成したサムネイル画像に対して施された少なくとも１つの処理画像を生成し、
前記画像出力部は、前記原画像取得部が取得した原画像に関連づけて、前記画像処理情報生成部がサムネイル画像に画像処理を施して生成した処理画像を出力する
請求項１に記載の画像管理装置。
【請求項２０】
前記画像出力部が出力している処理画像の印刷の注文を受け付ける印刷注文受付部
をさらに備え、
前記画像出力部は、前記サムネイル画像生成部が生成した複数のサムネイル画像のそれぞれの付近に、前記画像処理情報生成部がサムネイル画像に画像処理を施して生成した処理画像が表示された注文票を表示する
請求項１９に記載の画像管理装置。
【請求項２１】
前記画像出力部は、前記原画像取得部が取得した原画像と、前記画像処理情報生成部が生成した処理画像とが関連づけられて出力されるべく対応づけて、互いに異なるファイルで記録媒体に出力して記録する
請求項１に記載の画像管理装置。
【請求項２２】
原画像を取得する原画像取得段階と、
前記原画像取得段階において取得された原画像の画像内容又は原画像の付帯情報を解析する原画像解析段階と、
前記原画像解析段階における解析結果に基づいて、前記原画像取得段階において取得された原画像に対して施すべき少なくとも１つの画像処理を決定する画像処理内容決定段階と、
前記画像処理内容決定段階において決定された画像処理を示す画像処理情報を生成する画像処理情報生成段階と、
前記原画像取得段階において取得された原画像に関連づけて、前記画像処理情報生成段階において生成された画像処理情報を出力する画像出力段階と
を備える画像管理方法。
【請求項２３】
画像管理装置用のプログラムであって、画像管理装置を、
原画像を取得する原画像取得部、
前記原画像取得部が取得した原画像の画像内容又は原画像の付帯情報を解析する原画像解析部、
前記原画像解析部による解析結果に基づいて、前記原画像取得部が取得した原画像に対して施すべき少なくとも１つの画像処理を決定する画像処理内容決定部、
前記画像処理内容決定部が決定した画像処理を示す画像処理情報を生成する画像処理情報生成部、
前記原画像取得部が取得した原画像に関連づけて、前記画像処理情報生成部が生成した画像処理情報を出力する画像出力部
として機能させるプログラム。
【請求項２４】
原画像が印刷されている原画像印刷部と、
前記原画像を注文する旨が記入される原画像注文記入部と、
前記原画像に画像処理が施された少なくとも１つの処理画像が印刷されている処理画像印刷部と、
前記処理画像を注文する旨が記入される処理画像注文記入部と
を備える画像注文票。
【発明の詳細な説明】
【技術分野】
【０００１】
本発明は、画像管理装置、画像管理方法、プログラム、及び画像注文票に関する。特に、本発明は、画像を管理する画像管理装置及び画像管理方法、当該画像管理装置用のプログラム、並びに画像を注文者に注文させる画像注文票に関する。
【背景技術】
【０００２】
顧客から受け取った画像の欠陥を修正して修正画像を生成して、修正画像のサムネイル画像上またはその近傍に、画像に施された修正のタイプを示すインディケータを提示するインデックスプリントが知られている（例えば、特許文献１参照。）。
【特許文献１】特開２００４−３１２７２０号公報
【発明の開示】
【発明が解決しようとする課題】
【０００３】
特許文献１によるインデックスプリントでは、ユーザは、画像に対してセピア色処理、ぼかし処理等の、望ましい様々な画像処理を施された画像を手軽に注文することができない。しかし、画像処理に不慣れなユーザは、インデックスプリントに対して適切な画像処理を指示することができない場合がある。したがって、ユーザが画像を注文する場合には、所望の画像処理が施された画像を手軽に注文することができることが望ましい。
【０００４】
そこで本発明は、上記課題を解決することができる画像管理装置、画像管理方法、プログラム、及び画像注文票を提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態における画像管理装置は、原画像を取得する原画像取得部と、原画像取得部が取得した原画像の画像内容又は原画像の付帯情報を解析する原画像解析部と、原画像解析部による解析結果に基づいて、原画像取得部が取得した原画像に対して施すべき少なくとも１つの画像処理を決定する画像処理内容決定部と、画像処理内容決定部が決定した画像処理を示す画像処理情報を生成する画像処理情報生成部と、原画像取得部が取得した原画像に関連づけて、画像処理情報生成部が生成した画像処理情報を出力する画像出力部とを備える。
【０００６】
原画像の画像内容又は原画像の付帯情報の解析方法及び解析結果に対応づけて、原画像に施すべき画像処理を予め格納する画像処理内容格納部をさらに備え、画像処理内容決定部は、原画像解析部による解析結果に対応づけて処理内容格納部が格納する少なくとも１つの画像処理を選択してよい。
【０００７】
原画像解析部は、原画像取得部が取得した原画像の少なくとも１つの部分領域を解析し、画像処理内容決定部は、原画像解析部による部分領域の解析結果に基づいて、部分領域の明るさを予め定められた値にすべく画像処理を決定してよい。また、画像処理内容決定部は、原画像解析部による部分領域の解析結果に基づいて、当該部分領域のホワイトバランスを予め定められた値にすべく画像処理を決定してよい。
【０００８】
原画像取得部が取得した原画像の中から少なくとも１つのオブジェクトを抽出するオブジェクト抽出部をさらに備え、原画像解析部は、オブジェクト抽出部が抽出した少なくとも１つのオブジェクトを解析し、画像処理内容決定部は、原画像解析部によるオブジェクトの解析結果に基づいて、オブジェクトの明るさを予め定められた値にすべく画像処理を決定してよい。
【０００９】
原画像取得部が取得した原画像の中から少なくとも１つのオブジェクトを抽出するオブジェクト抽出部をさらに備え、原画像解析部は、オブジェクト抽出部が抽出した少なくとも１つのオブジェクトを解析し、画像処理内容決定部は、原画像解析部によるオブジェクトの解析結果に基づいて、オブジェクトのホワイトバランスを予め定められた値にすべく画像処理を決定してよい。
【００１０】
原画像解析部は、原画像取得部が取得した原画像中の不良領域の不良内容を特定し、画像処理内容決定部は、原画像解析部が特定した不良領域の不良内容に基づいて、原画像取得部が取得した原画像に対して施すべき、不良領域を修復する少なくとも１つの画像処理を決定してよい。
【００１１】
原画像解析部は、原画像取得部が取得した原画像の色分布の偏りを解析し、画像処理内容決定部は、原画像解析部によって解析された色分布の偏りの大きさに基づいて、ホワイトバランスを調整すべく画像処理を決定してよい。
【００１２】
画像処理内容決定部は、原画像解析部によって解析された色分布の偏りが予め定められた第１の偏りより小さい場合に、ホワイトバランスを調整すべく画像処理を決定し、画像出力部は、原画像解析部によって解析された色分布の偏りが予め定められた第１の偏りより小さく、当該第１の偏りより小さい予め定められた第２の偏りより大きいことを条件として、原画像取得部が取得した原画像に関連づけて、画像処理情報生成部が生成した画像処理情報を出力してよい。
【００１３】
画像処理情報生成部は、画像処理内容決定部が決定した画像処理が施された少なくとも１つの処理画像を生成し、画像出力部は、原画像取得部が取得した原画像に関連づけて、画像処理情報生成部が生成した処理画像を出力してよい。
【００１４】
画像出力部は、原画像取得部が取得した原画像を表示するとともに、当該原画像の付近に、画像処理情報生成部が生成した処理画像を表示してよい。また、画像出力部は、原画像取得部が取得した原画像と、画像処理情報生成部が生成した処理画像とが関連づけられて出力されるべく対応づけて記録媒体に出力して記録してよい。また、画像出力部は、原画像取得部が取得した原画像を印刷するとともに、当該原画像の付近に、画像処理情報生成部が生成した処理画像を印刷してよい。
【００１５】
画像処理情報生成部は、画像処理内容決定部が決定した画像処理の種類を示す画像処理情報を生成し、画像出力部は、原画像取得部が取得した原画像に関連づけて、画像処理情報生成部が生成した画像処理の種類を出力してよい。
【００１６】
画像出力部は、原画像取得部が取得した原画像を表示するとともに、当該原画像の付近に、画像処理情報生成部が生成した画像処理の種類を表示してよい。また、画像出力部は、原画像取得部が取得した原画像と、画像処理情報生成部が生成した画像処理の種類とが関連づけられて出力されるべく対応づけて記録媒体に出力して記録してよい。また、画像出力部は、原画像取得部が取得した原画像を印刷するとともに、当該原画像の付近に、画像処理情報生成部が生成した画像処理の種類を印刷してよい。
【００１７】
原画像取得部が取得した原画像のサムネイル画像を生成するサムネイル画像生成部をさらに備え、画像出力部は、サムネイル画像生成部が生成したサムネイル画像に関連づけて、画像処理情報生成部が生成した画像処理情報を出力してよい。また、画像処理情報生成部は、画像処理内容決定部が決定した画像処理が、サムネイル画像生成部が生成したサムネイル画像に対して施された少なくとも１つの処理画像を生成し、画像出力部は、原画像取得部が取得した原画像に関連づけて、画像処理情報生成部がサムネイル画像に画像処理を施して生成した処理画像を出力してよい。
【００１８】
画像出力部が出力している処理画像の印刷の注文を受け付ける印刷注文受付部をさらに備え、画像出力部は、サムネイル画像生成部が生成した複数のサムネイル画像のそれぞれの付近に、画像処理情報生成部がサムネイル画像に画像処理を施して生成した処理画像が表示された注文票を表示してよい。
【００１９】
画像出力部は、原画像取得部が取得した原画像と、画像処理情報生成部が生成した処理画像とが関連づけられて出力されるべく対応づけて、互いに異なるファイルで記録媒体に出力して記録してよい。
【００２０】
本発明の第２の形態における画像管理方法は、原画像を取得する原画像取得段階と、原画像取得段階において取得された原画像の画像内容又は原画像の付帯情報を解析する原画像解析段階と、原画像解析段階における解析結果に基づいて、原画像取得段階において取得された原画像に対して施すべき少なくとも１つの画像処理を決定する画像処理内容決定段階と、画像処理内容決定段階において決定された画像処理を示す画像処理情報を生成する画像処理情報生成段階と、原画像取得段階において取得された原画像に関連づけて、画像処理情報生成段階において生成された画像処理情報を出力する画像出力段階とを備える。
【００２１】
本発明の第３の形態によると、画像管理装置用のプログラムであって、画像管理装置を、原画像を取得する原画像取得部、原画像取得部が取得した原画像の画像内容又は原画像の付帯情報を解析する原画像解析部、原画像解析部による解析結果に基づいて、原画像取得部が取得した原画像に対して施すべき少なくとも１つの画像処理を決定する画像処理内容決定部、画像処理内容決定部が決定した画像処理を示す画像処理情報を生成する画像処理情報生成部、原画像取得部が取得した原画像に関連づけて、画像処理情報生成部が生成した画像処理情報を出力する画像出力部として機能させる。
【００２２】
本発明の第４の形態における画像注文票は、原画像が印刷されている原画像印刷部と、原画像を注文する旨が記入される原画像注文記入部と、原画像に画像処理が施された少なくとも１つの処理画像が印刷されている処理画像印刷部と、処理画像を注文する旨が記入される処理画像注文記入部とを備える。
【００２３】
なお、上記の発明の概要は、本発明の必要な特徴の全てを列挙したものではなく、これらの特徴群のサブコンビネーションもまた、発明となりうる。
【発明の効果】
【００２４】
本発明によれば、様々な画像処理の処理候補の中から、望ましい画像処理が施された画像をユーザが容易に注文することができる画像管理装置を提供することができる。
【発明を実施するための最良の形態】
【００２５】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２６】
図１は、この発明の一実施形態に係る画像管理システム１００の利用環境の一例を示す。画像管理システム１００は、撮像装置１３０、画像管理装置１１０、及び注文サーバ１２０を備える。画像管理装置１１０は、フォトショップ、コンビニエンスストア等の店舗１７０又はユーザ１９０の自宅１７１等に設けられる。画像管理装置１１０は、例えばパーソナルコンピュータ、キオスク端末等の情報端末であってよい。
【００２７】
撮像装置１３０は、撮像時の撮像条件、撮像時刻、撮像位置等の撮像時の情報を、撮像画像の付帯情報として記録媒体１６０ａに記録する。店舗１７０に設けられた画像管理装置１１０は、撮像装置１３０によって撮像された撮像画像及び付帯情報を記録媒体１６０ａから受け取って、撮像画像の平均的な明るさ、色差信号のバランス、逆光の有無等の解析結果若しくは撮像画像の付帯情報に応じて、撮像画像に様々な画像処理を施す。例えば、画像管理装置１１０は、画像の色差信号のバランスが光源に対してわずかにずれていることを条件として、ホワイトバランス調整を施す。他にも、画像管理装置１１０は、ポートレートモードで撮像された人物の輪郭を強調したり、人物の周囲にぼかし処理を施したりする。そして、画像管理装置１１０は、画像処理を施した処理画像のサムネイル画像及び撮像画像のサムネイル画像を記録媒体１６０ｂに記録する。
【００２８】
そして、自宅１７０に設けられた画像管理装置１１０は、記録媒体１６０ｂから処理画像のサムネイル画像を撮像画像のサムネイル画像とともに読み出して、撮像画像のサムネイル画像とともにディスプレイに表示する。そして、画像管理装置１１０は、ディスプレイに表示した処理画像又撮像画像の中から、プリント注文する画像をユーザ１９０に選択させる。そして、画像管理装置１１０は、ユーザ１９０から選択されたサムネイル画像に対応する撮像画像又はユーザ１９０から選択された処理画像を含む印刷オーダーを、通信回線１５０を介して注文サーバ１２０に送信する。そして、注文サーバ１２０は、印刷オーダーに応じて印刷機等の出力装置１８０から撮像画像又は処理画像を印刷して、ユーザ１９０に提供する。
【００２９】
以上説明した画像管理システム１００によれば、ユーザ１９０は、画像管理装置１１０によって望ましい画像処理が施された撮像画像を容易にプリント注文することができる。また、注文時において画像管理装置１１０は、記録媒体１６０ａに記録された撮像画像と処理画像のサムネイル画像をディスプレイに表示すればよいので、撮像画像自体を読み込んで画像処理を施して表示する場合に比べて、速やか注文画面を表示することができる。
【００３０】
なお、出力装置１８０は画像管理装置１１０と通信可能に接続されて店舗１７０又は自宅１７１に設けられてよく、画像管理装置１１０からの印刷オーダーに応じて撮像画像を印刷してユーザ１９０に提供してもよい。また、出力装置１８０は、画像管理装置１１０から画像注文票１６５の印刷データを受け取って画像注文票１６５を印刷してよい。
【００３１】
図２は、本実施例における画像管理装置１１０のブロック構成の一例を示す。画像管理装置１１０は、原画像取得部２３０、オブジェクト抽出部２４０、原画像解析部２５０、画像処理内容決定部２６０、画像処理内容格納部２６２、画像処理情報生成部２７０、サムネイル画像生成部２８０、画像出力部２９０、及び印刷注文受付部２９２を備える。
【００３２】
原画像取得部２３０は、原画像を取得する。具体的には、原画像取得部２３０は、撮像装置１３０が撮像した撮像画像を原画像として取得する。原画像解析部２５０は、原画像取得部２３０が取得した原画像の画像内容又は原画像の付帯情報を解析する。そして、画像処理内容決定部２６０は、原画像解析部２５０による解析結果に基づいて、原画像取得部２３０が取得した原画像に対して施すべき少なくとも１つの画像処理を決定する。そして、画像処理情報生成部２７０は、画像処理内容決定部２６０が決定した画像処理を示す画像処理情報を生成する。画像出力部２９０は、原画像取得部２３０が取得した原画像に関連づけて、画像処理情報生成部２７０が生成した画像処理情報を出力する。
【００３３】
具体的には、画像処理内容格納部２６２は、原画像の画像内容又は原画像の付帯情報の解析方法及び解析結果に対応づけて、原画像に施すべき画像処理を予め格納する。そして、画像処理内容決定部２６０は、原画像解析部２５０による解析結果に対応づけて処理内容格納部が格納する少なくとも１つの画像処理を選択する。例えば、画像処理内容格納部２６２は、明るさの平均値の算出方法及び明るさの平均値の基準値を、明るさの補正処理に対応づけて格納する。また、画像処理内容格納部２６２は、色分布の平均値の算出方法及び基準の色分布を、ホワイトバランスの補正係数に対応づけて格納する。また、画像処理内容格納部２６２は、ホワイトバランス、明るさ調整等の画像処理のそれぞれを施すことができる撮像時間帯を格納してもよい。また、画像処理内容格納部２６２は、ホワイトバランス、明るさ調整等の画像処理のそれぞれを施すことができる動作モードを格納してもよい。
【００３４】
また、原画像解析部２５０は、原画像取得部２３０が取得した原画像の少なくとも１つの部分領域を解析する。そして、画像処理内容決定部２６０は、原画像解析部２５０による部分領域の解析結果に基づいて、部分領域の明るさを予め定められた値にすべく画像処理を決定する。また、画像処理内容決定部２６０は、原画像解析部２５０による部分領域の解析結果に基づいて、当該部分領域のホワイトバランスを予め定められた値にすべく画像処理を決定する。このため、ユーザ１９０は、ユーザ１９０にとって望ましい領域に適切な画像処理が施された画像を、画像管理装置１１０を用いて容易に注文することができる。
【００３５】
オブジェクト抽出部２４０は、原画像取得部２３０が取得した原画像の中から少なくとも１つのオブジェクトを抽出する。また、原画像解析部２５０は、オブジェクト抽出部２４０が抽出した少なくとも１つのオブジェクトを解析する。画像処理内容決定部２６０は、原画像解析部２５０によるオブジェクトの解析結果に基づいて、オブジェクトの明るさを予め定められた値にすべく画像処理を決定する。また、画像処理内容決定部２６０は、原画像解析部２５０によるオブジェクトの解析結果に基づいて、オブジェクトのホワイトバランスを予め定められた値にすべく画像処理を決定する。このため、ユーザ１９０は、ユーザ１９０にとって望ましいオブジェクトに適切な画像処理が施された画像を、画像管理装置１１０を用いて容易に注文することができる。
【００３６】
なお、原画像解析部２５０は、原画像取得部２３０が取得した原画像の色分布の偏りを解析する。そして、画像処理内容決定部２６０は、原画像解析部２５０によって解析された色分布の偏りの大きさに基づいて、ホワイトバランスを調整すべく画像処理を決定する。具体的には、画像処理内容決定部２６０は、原画像解析部２５０によって解析された色分布の偏りが予め定められた第１の偏りより小さい場合に、ホワイトバランスを調整すべく画像処理を決定する。そして、画像出力部２９０は、原画像解析部２５０によって解析された色分布の偏りが予め定められた第１の偏りより小さく、当該第１の偏りより小さい予め定められた第２の偏りより大きいことを条件として、原画像取得部２３０が取得した原画像に関連づけて、画像処理情報生成部２７０が生成した画像処理情報を出力してよい。このため、画像管理装置１１０は、ホワイトバランスが過剰に補正されることを未然に防ぐことができる。したがって、ユーザ１９０は、ホワイトバランスが適切に施された画像を画像管理装置１１０を用いて容易に注文することができる。
【００３７】
他にも、原画像解析部２５０は、原画像取得部２３０が取得した原画像中の不良領域の不良内容を特定する。例えば、原画像解析部２５０は、画像の傷、赤目の位置を特定する。そして、画像処理内容決定部２６０は、原画像解析部２５０が特定した不良領域の不良内容に基づいて、原画像取得部２３０が取得した原画像に対して施すべき、不良領域を修復する少なくとも１つの画像処理を決定する。
【００３８】
サムネイル画像生成部２８０は、原画像取得部２３０が取得した原画像のサムネイル画像を生成する。そして、画像出力部２９０は、サムネイル画像生成部２８０が生成したサムネイル画像に関連づけて、画像処理情報生成部２７０が生成した画像処理情報を出力してよい。
【００３９】
画像処理情報生成部２７０は、画像処理内容決定部２６０が決定した画像処理が施された少なくとも１つの処理画像を生成する。画像出力部２９０は、原画像取得部２３０が取得した原画像に関連づけて、画像処理情報生成部２７０が生成した処理画像を出力する。画像処理情報生成部２７０は、画像処理内容決定部２６０が決定した画像処理が、サムネイル画像生成部２８０が生成したサムネイル画像に対して施された少なくとも１つの処理画像を生成してもよい。そして、画像出力部２９０は、原画像取得部２３０が取得した原画像に関連づけて、画像処理情報生成部２７０がサムネイル画像に画像処理を施して生成した処理画像を出力する。
【００４０】
なお、画像出力部２９０は、原画像取得部２３０が取得した原画像を表示するとともに、当該原画像の付近に、画像処理情報生成部２７０が生成した処理画像を表示してよい。例えば、画像管理装置１１０は、ディスプレイ等の表示デバイスに原画像と処理画像を表示してよい。他にも、画像出力部２９０は、原画像取得部２３０が取得した原画像と、画像処理情報生成部２７０が生成した処理画像とが関連づけられて出力されるべく対応づけて記録媒体１６０に出力して記録する。このとき、画像出力部２９０は、原画像取得部２３０が取得した原画像と、画像処理情報生成部２７０が生成した処理画像とが関連づけられて出力されるべく対応づけて、互いに異なるファイルで記録媒体１６０に出力して記録してもよい。他にも、画像出力部２９０は、原画像取得部２３０が取得した原画像を印刷するとともに、当該原画像の付近に、画像処理情報生成部２７０が生成した処理画像を印刷する。例えば、画像出力部２９０は、処理画像を画像注文票１６５として印刷する。
【００４１】
画像処理情報生成部２７０は、画像処理内容決定部２６０が決定した画像処理の種類を示す画像処理情報を生成してもよい。この場合、画像出力部２９０は、原画像取得部２３０が取得した原画像に関連づけて、画像処理情報生成部２７０が生成した画像処理の種類を出力する。具体的には、画像出力部２９０は、原画像取得部２３０が取得した原画像を表示するとともに、当該原画像の付近に、画像処理情報生成部２７０が生成した画像処理の種類を表示する。また、画像出力部２９０は、原画像取得部２３０が取得した原画像と、画像処理情報生成部２７０が生成した画像処理の種類とが関連づけられて出力されるべく対応づけて記録媒体１６０に出力して記録する。画像出力部２９０は、原画像取得部２３０が取得した原画像を印刷するとともに、当該原画像の付近に、画像処理情報生成部２７０が生成した画像処理の種類を印刷する。例えば、画像出力部２９０は、画像注文票１６５の処理画像の近傍に画像処理の種類を印刷する。
【００４２】
印刷注文受付部２９２は、画像出力部２９０が出力している処理画像の印刷の注文を受け付ける。そして、画像出力部２９０は、サムネイル画像生成部２８０が生成した複数のサムネイル画像のそれぞれの付近に、画像処理情報生成部２７０がサムネイル画像に画像処理を施して生成した処理画像が表示された注文票を表示する。
【００４３】
以上説明した画像管理装置１１０によれば、ユーザ１９０は、望ましい画像処理が施された画像を容易に注文することができる。
【００４４】
図３は、撮像画像における複数の領域毎に生成される処理画像の一例を示す。本図の例では、原画像解析部２５０は、撮像画像３００の予め定められた７つの部分領域３０１〜３０７に対して、それぞれの部分領域の明るさの平均値、色成分の偏り等を解析する。以下、明るさを指標として画像内容を解析する場合の画像管理装置１１０の動作例について説明する。なお、画像の色成分の偏りを指標として画像内容を解析する場合の画像管理装置１１０の動作例については、図４に関連して説明する。
【００４５】
画像処理内容決定部２６０は、部分領域のそれぞれについて、部分領域における明るさの平均値に対する予め定められた明るさの基準値の比を算出する。そして、画像処理情報生成部２７０は、画像処理内容決定部２６０が算出した比を撮像画像の各画素の輝度信号の値に乗じた値を、処理画像の輝度信号値として算出する。このようにして、画像管理装置１１０は、部分画像の明るさの平均値が、明るさの基準値と同一になるよう画像処理された処理画像を得ることができる。例えば、処理画像３１５及び３１６は、それぞれ部分画像３０５及び３０６の明るさの平均値が明るさの基準値と同一になるよう処理された処理画像を示す。
【００４６】
なお、画像管理装置１１０は、撮像装置１３０の動作モードに応じて明るさの基準値を決定してよい。例えば、画像処理内容格納部２６２は、ポートレートモード、夜景モード等の撮像モードに対応づけて明るさの基準値を予め格納しており、画像処理内容決定部２６０は、撮像装置１３０の撮像画像が撮像された動作モードに対応づけて画像処理内容格納部２６２が格納している明るさの基準値に対して、上記比を算出してよい。
【００４７】
なお、原画像解析部２５０は、撮像画像３００からオブジェクト抽出部２４０が抽出した人物３５０及び３６０に対して、それぞれの人物の明るさの平均値を算出してもよい。そして、画像処理内容決定部２６０は、前述の部分領域毎に明るさを調整する画像処理と同様の処理によって、人物３５０及び３６０のそれぞれの明るさの平均値が明るさの基準値と同一になるよう画像処理された処理画像をそれぞれ生成することができる。
【００４８】
なお、画像管理装置１１０は、オブジェクトの種類に応じて明るさの基準値を決定してよい。例えば、画像処理内容格納部２６２は、人物、自然等のオブジェクトの種類に対応づけて明るさの基準値を予め格納しており、画像処理内容決定部２６０は、オブジェクト抽出部２４０によって抽出されたオブジェクトの種類に対応づけて画像処理内容格納部２６２が格納している明るさの基準値に対して、上記比を算出してよい。なお、画像処理内容決定部２６０は、オブジェクト抽出部２４０が同じ種類のオブジェクトを複数抽出した場合に、同じ種類の複数のオブジェクトについての明るさの平均値と予め定められた明るさの基準値の比を算出してもよい。例えば、画像３１７は人物３５０及び３６０について明るさ調整が施された処理画像の一例である。
【００４９】
このようにして、画像管理装置１１０は、部分領域３０１〜３０７の明るさがそれぞれ適度な明るさに調整された複数の処理画像、人物３５０又は人物３６０の明るさがそれぞれ適度な明るさに調整された処理画像を、ユーザ１９０に提示することができる。したがって、ユーザ１９０は、画像管理装置１１０の注文画面から任意の処理画像を選択することによって、望ましい領域の明るさが調整された処理画像を容易に注文することができる。
【００５０】
図４は、色成分の偏りを指標として画像内容を解析する解析方法の一例を示す。原画像解析部２５０は、撮像画像の各画素の赤、緑、及び青のそれぞれの信号強度Ｒ、Ｇ、及びＢを用いて、各画素のＲ／Ｇ及びＢ／Ｇの値を算出する。そして、原画像解析部２５０は、複数の部分領域毎に、Ｒ／Ｇ及びＢ／Ｇの値の平均値を算出する。そして、画像処理内容決定部２６０は、複数の部分領域毎に、Ｒ／Ｇ軸、Ｂ／Ｇ軸空間におけるＲ／Ｇ及びＢ／Ｇの値の平均値の位置に基づいて、ホワイトバランスを調整するか否かを決定する。以下、Ｒ／Ｇ及びＢ／Ｇの値の平均値をそれぞれｒ及びｂと言い換えて説明する。
【００５１】
具体的には、画像処理内容格納部２６２は、白熱灯、蛍光灯等の複数の光源を基準として、光源の違いによって変化することが判断される色成分の領域を示す第２の領域４５２と、第２の領域４５２を含み、第２の領域４５２より広い色成分の領域を示す第１の領域４５１とを、Ｒ／Ｇ軸及びＢ／Ｇ軸空間において予め記憶している。より具体的には、第１の領域４５１は、当該領域外に座標（ｒ，ｂ）の値の平均値が位置する部分画像では、被写体の物体色が支配的であることが判断される領域を示す。このように、第１の領域４５１に座標（ｒ，ｂ）が含まれる部分領域の色成分は、第２の領域４５２に座標（ｒ，ｂ）が含まれる部分領域の色成分に比べて、光源に対して偏りがより大きいことを意味する。
【００５２】
そして、画像処理内容決定部２６０は、部分領域のそれぞれについて、座標（ｒ，ｂ）が第１の領域４５１に含まれる場合に、当該部分領域のホワイトバランスを調整する旨を決定する。このとき、画像出力部２９０は、座標（ｒ，ｂ）が第２の領域４５２に含まれないことを条件として、当該部分領域のホワイトバランスを調整した画像と、当該部分領域のホワイトバランスを調整していない画像（撮像画像）とをユーザ１９０に提示する。なお、画像処理内容決定部２６０は、ホワイトバランスを調整する旨を決定した場合には、色成分を補正する補正値として、ｒ及びｂがともに１に近づく方向の色成分の補正値、例えば、座標（ｒ，ｂ）から座標（１，１）へのベクトルの方向及び大きさに応じた色成分の補正値を決定する。
【００５３】
部分領域の色成分が光源の領域に対して大きく偏っている部分領域（例えば、第２の領域４５２外の（ｒ，ｂ）成分を有する部分領域）では物体色が支配的であると判断されるので、このような部分領域に対して無理にホワイトバランスを調整しようとすると、過剰な補正が施されてしまう場合がある。しかし、画像処理内容決定部２６０は、このような部分領域に対してはホワイトバランスを調整しない旨を決定するので、ホワイトバランスの補正が過剰に施されてしまうことを未然に防ぐことができる。反対に、画像管理装置１１０は、光源の違いによって変化したことが判断される部分領域については、ホワイトバランスが適切に補正された処理画像をユーザ１９０に提示することができる。さらに画像管理装置１１０は、光源に対して多少のずれが存在する部分領域、つまり、物体色が支配的である可能性も無視できない場合には、ホワイトバランスを調整した処理画像と撮像画像とをユーザ１９０に提示して、ユーザ１９０に印刷すべき画像を選択させることができる。
【００５４】
図５は、画像出力部２９０が記録媒体１６０ｂに記録するファイルの一例を示す。画像出力部２９０は、ルートディレクトリ５００の下に、撮像画像ディレクトリ５１０、サムネイル画像ディレクトリ５２０、処理画像ディレクトリ５３０、及び画像対応ファイル５４０を配置する。画像出力部２９０は、記録媒体１６０ａから受け取った複数の撮像画像ファイル５１２を、撮像画像ディレクトリ５１０の直下に配置する。また、画像出力部２９０は、撮像画像のそれぞれについてサムネイル画像生成部２８０が生成したサムネイル画像である複数のサムネイル画像ファイル５２２を、サムネイル画像ディレクトリ５２０の直下に配置する。また、画像出力部２９０は、撮像画像のそれぞれについて画像処理情報生成部２７０が生成した処理画像である処理画像ファイル５３２を、処理画像ディレクトリ５３０の直下に配置する。
【００５５】
そして、画像出力部２９０は、撮像画像ファイル５１２、サムネイル画像ファイル５２２、及び処理画像ファイル５３２の対応関係が記載された画像対応ファイル５４０をルートディレクトリの直下に記録する。具体的には、画像出力部２９０は、撮像画像ファイル５１２、サムネイル画像ファイル５２２、処理画像ファイル５３２のファイル名を互いに対応づけて画像対応ファイル５４０に記載する。なお、画像出力部２９０は、それぞれのファイルのパス名を含むファイル名を、画像対応ファイル５４０に記載する。なお、画像出力部２９０は、画像対応ファイル５４０の内容をＸＭＬ形式で記載してよい。例えば、画像出力部２９０は、撮像画像ファイル、サムネイル画像ファイル、及び処理画像ファイルである旨を示すタグのそれぞれの属性として、撮像画像ファイル５１２、サムネイル画像ファイル５２２、及び処理画像ファイル５３２のファイル名がそれぞれ記載された画像対応ファイル５４０を生成してよい。
【００５６】
また、画像処理情報生成部２７０は、処理画像ファイル名に代えて画像処理の内容を、画像処理内容として画像対応ファイル５４０に記録してよい。例えば、画像処理情報生成部２７０は、ホワイトバランス調整の調整値、赤目の領域と赤目の修正値等を、画像対応ファイル５４０に記録する。また、原画像解析部２５０は、撮像画像の解析結果を、画像対応ファイル５４０に記録してよい。例えば、原画像解析部２５０は、部分領域毎の色成分の分布、明るさの平均値等を撮像画像の解析結果として画像対応ファイル５４０に記録してよい。これにより、画像管理装置１１０は、記録媒体１６０に記録された画像対応ファイル５４０を読み込むことによって、施すべき画像処理内容又は画像の解析結果を速やかに取得することができる。また、画像管理装置１１０は、取得した画像処理内容又は解析結果に応じて画像管理装置１１０自身が施すことができる画像処理を選択して、ユーザ１９０に提示することができる。
【００５７】
なお、画像出力部２９０は、撮像画像のプリント注文時等にユーザ１９０に提示する撮像画像又はサムネイル画像を表示する順番を示す情報、又は撮像画像又はサムネイル画像を表示する位置を示す情報を、画像対応ファイル５４０に記載してよい。これにより、画像管理装置１１０は、例えばスライドショーによって注文画面を表示する場合に、ルートディレクトリに配置された画像対応ファイル５４０に記載された順番又は位置で、撮像画像又はサムネイル画像を表示することができる。なお、画像出力部２９０は、プリント注文時等における撮像画像又はサムネイル画像、並びに処理画像の画面上の表示位置を規定したＨＴＭＬファイルを画像対応ファイル５４０に記録してもよい。例えば、画像出力部２９０は、注文時に表示する注文画面を規定したＨＴＭＬファイルを記録媒体１６０に記録する。これにより、ユーザ１９０は、パーソナルコンピュータ、携帯電話、ＰＤＡ等の等の端末の種類を問わず、ＷＥＢブラウザが動作する画像管理装置１１０であれば、撮像画像又と処理画像とを確認して容易に注文することができる。なお、画像対応ファイル５４０は、当該ＨＴＭＬファイルであってもよい。
【００５８】
なお、撮像画像ファイル５１２、サムネイル画像ファイル５２２、処理画像ファイル５３２、及び画像対応ファイル５４０は、本図の例で示したディレクトリ構成に限らず、様々なディレクトリ構成で配置されてよい。なお、画像出力部２９０は、複数の種類の画像管理装置１１０の間で規定されたディレクトリ（本図の例ではルートディレクトリ５００）の直下に画像対応ファイル５４０を配置してよい。この場合、画像管理装置１１０毎に異なるディレクトリ構成で撮像画像ファイル５１２、サムネイル画像ファイル５２２、及び処理画像ファイル５３２が配置されていても、規定されたディレクトリの直下の画像対応ファイル５４０を読み込むことで各ファイルの位置を速やかに特定することができる。
【００５９】
以上説明したように、画像管理装置１１０はサムネイル画像ファイルのそれぞれと、処理画像ファイルのそれぞれとを関連づけた画像対応ファイル５４０を記録媒体１６０に記録する。したがって、画像管理装置１１０は、他の画像管理装置１１０が記録した記録媒体１６０から画像対応ファイル５４０を読み込むことによって、注文画面を速やかに表示することができる。
【００６０】
図６は、画像管理装置１１０が撮像画像の注文を受け付ける場合の注文画面の一例を示す。画像管理装置１１０は、画像対応ファイル５４０に記載されたサムネイル画像を示すファイル名で示されるファイルを記録媒体１６０から読み込んで、ディスプレイ６００の全体画像表示領域６１０に表示する。そして、画像管理装置１１０は、処理画像を示すファイル名で示されるファイルを記録媒体１６０から読み込んで、処理画像表示領域６２１ａ〜ｄ、６２２ａ〜ｄ、６２３ａ〜ｄ、６２４ａ〜ｄ、・・・に表示する。なお、画像管理装置１１０は、記録媒体１６０から撮像画像を示すファイル名のファイルを読み込んで、全体画像表示領域６１０に表示してもよい。
【００６１】
画像管理装置１１０は、例えば４段階の明るさ補正を施した処理画像、ホワイトバランスを４段階で変更した処理画像、４段階のセピア色処理を施した処理画像を、処理画像表示領域６２１ａ〜ｄ、６２２ａ〜ｄ、６２３ａ〜ｄにそれぞれ表示する。また、画像管理装置１１０は、画像の赤目、傷を修正した処理画像を、処理画像表示領域６２４ａ、６２４ｂに表示する。なお、画像管理装置１１０は、４つの部分領域のそれぞれについて明るさを適切に調整した処理画像を処理画像表示領域６２１ａ〜ｄに表示してよいし、４つの部分領域のそれぞれについてホワイトバランスを適切に調整した処理画像を処理画像表示領域６２２ａ〜ｄに表示してもよい。また、画像管理装置１１０は、各処理表示領域の近傍の料金表示領域６９１に、それぞれの画像処理の種類と、画像処理を施した場合の追加料金が表示する。なお、画像管理装置１１０は、画像対応ファイル５４０に記録された画像処理内容又は解析結果に基づいて、画像管理装置１１０自身が施すことができる画像処理を決定するとともに、決定した画像処理を施す場合の追加料金を算出してよい。
【００６２】
印刷注文受付部２９２は、全体画像表示領域６１０の近傍の位置の印刷枚数選択ボタン６４０によってユーザ１９０から印刷枚数の指示を受け付けるとともに、注文ボタン６５０の押下による撮像画像の印刷注文指示を受け付ける。そして、画像管理装置１１０は、印刷注文が指示された撮像画像ファイル５１２のファイル名と、指示された印刷枚数とを対応づけて、印刷注文データとしてメモリに記憶する。
【００６３】
また、印刷注文受付部２９２は、処理画像表示領域６２１ａ〜ｄ、６２２ａ〜ｄ、６２３ａ〜ｄ、６２４ａ〜ｄのそれぞれの近傍の位置の印刷枚数選択ボタン６４１ａ〜ｄ、６４２ａ〜ｄ、６４３ａ〜ｄ、６４４ａ〜ｄ、・・・によって、ユーザ１９０から印刷枚数の指示を受け付けるとともに、注文ボタン６５１ａ〜ｄ、６５２ａ〜ｄ、６５３ａ〜ｄ、６５４ａ〜ｄ、・・・の押下による処理画像の印刷注文指示を受け付ける。そして、画像管理装置１１０は、印刷注文が指示された処理画像に対応づけられた処理画像ファイル５３２のファイル名と、指示された印刷枚数とを、印刷注文データとしてメモリに記憶する。
【００６４】
そして、印刷注文受付部２９２は、注文確認ボタン６８０によって注文内容の確認が指示されると、印刷注文データとしてメモリに記憶された撮像画像ファイル５１２又は処理画像ファイル５３２の画像をスライドショーとして順次表示させるとともに、印刷枚数を同時に表示する。そして、印刷注文受付部２９２は、注文実行ボタン６９０によって印刷の注文が指示されると、メモリに記憶された撮像画像ファイル５１２又は処理画像ファイル５３２の内容と、それぞれの画像の印刷枚数を含む印刷オーダーを注文サーバ１２０に送信する。なお、ディスプレイ６００にはタッチパネル機能が備えられており、印刷注文受付部２９２はユーザ１９０によるタッチパネルの操作によって印刷注文及び印刷枚数の指示を受け付けてよい。
【００６５】
図７は、画像管理装置１１０が印刷する画像注文票１６５の一例を示す。画像注文票１６５は、複数の全体画像印刷部７１０、７２０・・・と、原画像注文記入部７４０、７５０・・・と、処理画像印刷部７１１、７１２、７１３、７１４・・・、７２１、７２２、７２３、７２４・・・と、処理画像注文記入部７４１、７４２、７４３、７４４・・・と、７５１、７５２、７５３、７５４・・・と、料金印刷部７９１、７９２、７９３、７９４・・・とを備える。
【００６６】
原画像印刷部７１０、７２０・・・には、原画像が印刷されている。原画像注文記入部７４０、７５０・・・には、原画像を注文する旨が記入される。また、処理画像印刷部７１１、７１２、７１３、７１４・・・、７２１、７２２、７２３、７２４・・・には、原画像に画像処理が施された少なくとも１つの処理画像が印刷されている。処理画像注文記入部７４１、７４２、７４３、７４４・・・、７５１、７５２、７５３、７５４・・・には、処理画像を注文する旨が記入される。料金印刷部７８１、７８２、７８３、７８４・・・、７９１、７９２、７９３、７９４・・・には、それぞれの画像処理に対する追加料金が印刷されている。
【００６７】
なお、原画像注文記入部７４０、７５０は、原画像印刷部７１０に印刷された撮像画像の印刷枚数をユーザ１９０に記入させる枠であってよい。同様に、処理画像注文記入部７４１、７４２・・・は、それぞれ処理画像印刷部に印刷された処理画像の印刷枚数をユーザ１９０に記入させる枠であってよい。また、処理画像印刷部７２１、７２２、７２３、７２４は、原画像印刷部７１０、７２０と同じ大きさであってもよいし、原画像印刷部７１０、７２０より大きくてもよい。
【００６８】
本図の例では、処理画像印刷部７１１、７１２、７１３、７１４には、それぞれ赤目を修正した処理画像、ホワイトバランスを調整した処理画像、セピア処理された処理画像、ぼかし処理された処理画像が印刷されている。また、処理画像印刷部７２１、７２２、７２３、７２４には、それぞれ画像の傷を修正した処理画像、明るさを調整した処理画像、セピア処理された処理画像、ぼかし処理された処理画像が印刷されている。ユーザ１９０は、画像注文票１６５の処理画像注文記入部又は原画像注文記入部に印刷する枚数を記入することによって画像の印刷を注文する。
【００６９】
以上説明したように、ユーザ１９０は、画像の印刷を注文する場合に、ホワイトバランス、明るさ等の調整指示をすることなく、画像管理装置１１０又は画像注文票１６５によって、適切な画像処理が施された画像を手軽に注文することができる。
【００７０】
図８は、本実施例に係る画像管理装置１１０のハードウェア構成の一例を示す。画像管理装置１１０は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００７１】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００７２】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、ＣＰＵ１５０５が使用するプログラム、及びデータを格納する。通信インターフェイス１５３０は、ネットワーク通信装置１５９８に接続してプログラムまたはデータを送受信する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００７３】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、画像管理装置１１０が起動時に実行するブート・プログラムや、画像管理装置１１０のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００７４】
ＣＰＵ１５０５が実行するプログラムは、フレキシブルディスク１５９０、ＣＤ−ＲＯＭ１５９５、またはＩＣカード等の記録媒体に格納されて利用者によって提供される。記録媒体に格納されたプログラムは圧縮されていても非圧縮であってもよい。プログラムは、記録媒体からハードディスクドライブ１５４０にインストールされ、ＲＡＭ１５２０に読み出されてＣＰＵ１５０５により実行される。
【００７５】
ＣＰＵ１５０５により実行されるプログラムは、第２の実施例における画像管理装置１１０を、図１から図７にかけて説明した原画像取得部２３０、オブジェクト抽出部２４０、原画像解析部２５０、画像処理内容決定部２６０、画像処理内容格納部２６２、画像処理情報生成部２７０、サムネイル画像生成部２８０、画像出力部２９０、及び印刷注文受付部２９２として機能させる。
【００７６】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムを画像管理装置１１０に提供してもよい。
【００７７】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００７８】
【図１】画像管理システム１００の利用環境の一例を示す図である。
【図２】画像管理装置１１０のブロック構成の一例を示す図である。
【図３】撮像画像における領域毎に生成される処理画像の一例を示す図である。
【図４】色分布の偏りを指標として画像内容を解析する解析方法の一例を示す図である。
【図５】画像出力部２９０が記録媒体１６０ｂに記録するファイルの一例を示す図である。
【図６】画像管理装置１１０が撮像画像の注文を受け付ける場合の注文画面の一例を示す図である。
【図７】画像管理装置１１０が印刷する画像注文票１６５の一例を示す図である。
【図８】画像管理装置１１０のハードウェア構成を示すブロック図である。
【符号の説明】
【００７９】
１００  画像管理システム
１１０  画像管理装置
１２０  注文サーバ
１３０  撮像装置
１５０  通信回線
１６０  記録媒体
１６５  画像注文票
１８０  出力装置
１９０  ユーザ
２３０  原画像取得部
２４０  オブジェクト抽出部
２５０  原画像解析部
２６０  画像処理内容決定部
２６２  画像処理内容格納部
２７０  画像処理情報生成部
２８０  サムネイル画像生成部
２９０  画像出力部
２９２  印刷注文受付部
５１０  撮像画像ディレクトリ
５２０  サムネイル画像ディレクトリ
５３０  処理画像ディレクトリ
５４０  画像対応ファイル
【図１】
2007228309.tif 000003
【図２】
2007228309.tif 000004
【図３】
2007228309.tif 000005
【図４】
2007228309.tif 000006
【図５】
2007228309.tif 000007
【図６】
2007228309.tif 000008
【図７】
2007228309.tif 000009
【図８】
2007228309.tif 000010